(57)【要約】【課題】透明な保護板に袋状の包囲体を取り付けて密閉構造部とし、この中に絵画、書、写真等を入れて観賞する密閉式額縁において、保護板と包囲体の接着部の強度を高めて、絵画、書、写真等の出し入れに際してはがれたり破損しやすい接着部を長期間良好な状態に維持できる。【解決手段】透明な保護板３の周囲に補強板４を側面が保護板と同一面に成るように取り付けて固定し、包囲体２と保護板で密閉構造部Ａを作る際、包囲体と接着する保護板及び補強板で形成される側面との接着面を大きくすることにより、接着部の強度を高める。【選択図】      図１
2004261536.tif 000002
【特許請求の範囲】
【請求項１】
透明な保護板（３）の一方の面または両方の面に保護板の側面の周囲の全体または一部分に一定幅の補強板（４、１１、１５、１６）を取り付け固定または着脱自在の構造とし、この保護板と補強板の側面またはそのどちらかの側面にシート状部材で作られた袋状の包囲体（２、１２）の開放した端部を直接取り付けて固定し、この保護板と包囲体で形成される密閉構造部（Ａ）を額縁の枠（１）に着脱自在に嵌め込みできる構造とし、この密閉構造部の内部に絵画、書、写真等（５）を入れて密閉して利用する密閉式額縁。
【請求項２】
シート状の部材で作られた袋状の包囲体（１８）の開放した端部を透明な保護板の側面の周囲に直接取り付けて固定すると共にシート状部材で作られた包囲体の先端（１９）の一部または全部を透明な保護板の前面に折り曲げて固定し、この折り曲げたシート状部材に補強材（１７）を全体または部分的に取り付ける構造とし、この保護板と包囲体で形成される密閉構造部を額縁の枠に着脱自在に嵌め込みできる構造とし、この密閉構造部の内部に絵画、書、写真等を入れて密閉して利用する密閉式額縁。
【請求項３】
シート状の部材で作られた袋状の包囲体（２３）の開放した端部を透明な保護板の側面の周囲に直接取り付けて固定すると共にシート状部材で作られた包囲体の先端（２２）の一部または全部を透明な保護板の前面に折り曲げて固定し、この保護板と包囲体で形成される密閉構造部を額縁の枠に着脱自在に嵌め込みできる構造とし、この密閉構造部の内部に絵画、書、写真等を入れて密閉して利用する密閉式額縁。
【請求項４】
前記補強板は保護板の周囲に一定幅でしかもその側面が保護板の側面と同一面または保護板の側面より内側になるように密着して取り付ける構造とする請求項１記載の密閉式額縁。
【請求項５】
前記袋状の包囲体は開閉可能な密閉手段（６）を有する構造とする請求項１、２、３記載の密閉式額縁。
【請求項６】
前記保護板と包囲体で形成される密閉構造部を額縁の枠に嵌め込み固定するための裏板（７）と固定手段（８）を有する構造とする請求項１、２、３記載の密閉式額縁。
【発明の詳細な説明】
【０００１】
【発明の属する技術分野】
本発明は絵画、書、写真等を入れて部屋、廊下に掲げる額縁に関するものである。
【０００２】
【従来の技術】
従来、絵画、書、写真等は額縁に入れて掲げられている。この場合、額縁は単なる飾りや掲示の手段として使用されている。更に、額縁全体の内部を密閉構造とすると共に内部の空気を不活性ガス等に置換して絵画を保護する方法や保護板の周囲に袋状の包囲体を取り付けて密閉構造部を形成しこの中に絵画を入れて保護する方法が知られている。（例えば、特願２０００−３０２９０６号参照）
【０００３】
【発明が解決しようとする課題】
従来の密閉構造の額縁は透明な保護板の側面の周囲に柔軟な袋状の包囲体を取り付け、この包囲体の内部を密閉構造部とし、内部に絵画や書、写真等を入れて保護するものである。この方法では、保護板が接着に必要な充分な厚さではないため、保護板と袋状の接着部の強度が低く、絵画や書、写真等の作品の出し入れに際し接着部が外れたり破損しやすいという問題点があった。特に、作品が大きい場合や頻繁に作品を出し入れする場合にはこの問題が顕著になった。
【０００４】
本発明は、保護板と袋状の包囲体の接着面をより大きくして接着部の強度を高めることにより、作品の出し入れにも破損しにくく、しかもより額縁の大型化を可能にした密閉式額縁を提供することを目的としている。
【０００５】
【議題を解決するための手段】
上記目的を達成するために、透明な保護板の一方の面または両方の面に保護板の側面の周囲の全体または一部分に一定幅の補強板を取り付け固定または着脱自在の構造とし、この保護板と補強板の側面またはそのどちらかの側面にシート状部材で作られた袋状の包囲体の開放した端部を直接取り付けて固定し、この保護板と包囲体で形成される密閉構造部を額縁の枠に着脱自在に嵌め込みできる構造とし、この密閉構造部の内部に絵画、書、写真等を入れて密閉して利用する密閉式額縁とする。
【０００６】
シート状の部材で作られた袋状の包囲体の開放した端部を透明な保護板の側面の周囲に直接取り付けて固定すると共にシート状部材で作られた包囲体の先端の一部または全部を透明な保護板の前面に折り曲げて固定し、この折り曲げたシート状部材に補強材を全体または部分的に取り付ける構造とし、この保護板と包囲体で形成される密閉構造部を額縁の枠に着脱自在に嵌め込みできる構造とし、この密閉構造部の内部に絵画、書、写真等を入れて密閉して利用する密閉式額縁とする。
【０００７】
シート状の部材で作られた袋状の包囲体の開放した端部を透明な保護板の側面の周囲に直接取り付けて固定すると共にシート状部材で作られた包囲体の先端の一部または全部を透明な保護板の前面に折り曲げて固定し、この保護板と包囲体で形成される密閉構造部を額縁の枠に着脱自在に嵌め込みできる構造とし、この密閉構造部の内部に絵画、書、写真等を入れて密閉して利用する密閉式額縁とする。
【０００８】
補強板は保護板の周囲に一定幅でしかもその側面が保護板の側面と同一面または保護板の側面より内側になるように密着して取り付ける構造とする。
【０００９】
袋状の包囲体は開閉可能な密閉手段を有する構造とする。
【００１０】
保護板と包囲体で形成される密閉構造部を額縁の枠に嵌め込み固定するための裏板と固定手段を有する構造とする。
【００１１】
【発明の実施の形態】
発明の実施の形態を実施例にもとづき図面を参照して説明する。
図１において示される実施例において、透明な保護板３の一方の面の周囲に一定幅の補強板４を保護板３の側面と取り付け面が同一になるように取り付けて固定し、補強板４が包囲体２の内部になるようにして、この保護板３と補強板４で形成される側面にシート状の部材で作られた袋状の包囲体２の端の部分を取り付けて接着固定したものである。そして、この保護板３と包囲体２で形成された密閉構造部Ａの内部に絵画、書、写真等５を収め額縁の枠１に入れた状態である。
【００１２】
密閉構造部Ａは額縁の枠１に入れた状態で裏板７で包囲体２の背後から押し付けることにより密閉構造部全体が額縁の枠１に押し付けられて、密閉構造部Ａの保護板３を額縁の枠１に固定するようになっている。密閉構造部Ａの内部には保護板３の後に絵画、書、写真等５を収め、包囲体２の開閉部６を閉じて、密閉した状態とし、額縁の枠１に入れて、裏板７で背後から密閉構造部Ａを押さえて押え具８で固定し所定の位置に取り付けられるにしたものである。
【００１３】
図２において示される実施例において、密閉構造部Ａの詳細に付いて示す。包囲体２はシート状の部材で作られた袋状で、開放している端の部分を保護板３の側面の周囲に直接取り付けて固定した構造であり、包囲体２には絵画、書、写真等５を出し入れするための開閉手段として、気密構造のチャック式開閉部６が包囲体２の周囲に設けられている。
【００１４】
図３において示される実施例において、包囲体２と保護板３及び補強板４の取り付け部の詳細を示す。補強板４は保護板３に側面が同一面を形成するように接着剤９で取り付けられた状態である。また、取り付け面は密閉構造部Ａの内部になる面の周囲に一定幅で取り付けてある。そして、この保護板３と補強板４の側面に袋状の包囲体２の端の部分を接着剤１０で固定してある。また、包囲体２の一部を保護板３の前面に折って接着してもよく、この場合、より接着面積を大きくできるため、接着強度を増加することができる。
【００１５】
図４において示される実施例では、保護板３に取り付ける補強板１１の形状が異なる場合に付いて示す。この場合、補強板１１はＬ字型の断面形状をしており、保護板３と包囲体２の接着面は充分大きく取ることができる。そして、包囲体２は補強板１１に接着剤１３で固定されており、補強板１１の一方は保護板３に接着剤１４で固定する構造となっている。また、補強板１１がＬ字型構造のため、保護板３の周囲に取り付けることにより、Ｌ字型の部分が固定枠となり、絵画、書、写真等５の作品を収めた場合、安定して固定することができる。
【００１６】
図５において示される実施例では、保護板３の両面に補強板を取り付けた場合に付いて示す。保護板３の外部には外部補強板１５を内部には内部補強板１６を取り付けたものである。補強板は内部、外部で厚さの異なるものを使用し、幅は同じものとする。この補強板を保護板３の周囲に保護板３の側面と同一面になるように取り付けて固定し、保護板３と内部、外部補強板の側面に包囲体２の端の部分を接着固定したものである。そして、この保護板３と包囲体２で形成された密閉構造部Ａに作品を入れた状態を示す。
【００１７】
図６において示される実施例では、保護板３の前面に包囲体１８の先端を折り曲げて接着固定し、この接着固定したシートの上から補強材１７を取り付けたものである。すなわち、保護板３の側面に包囲体１８を取り付け固定すると共に、包囲体の先端を折り曲げた包囲体先端部１９を保護板３の前面に接着固定するものである。このシート状の包囲体先端部１９は一定間隔で保護板３に接着されており、この上に補強材１７を乗せて固定することにより、補強材１７は保護板３と接着して、包囲体先端部１９を挟むことができる。尚、補強材の厚さ、幅は特に限定するものではないが、厚さは通常接着テープ程度で好く、幅は５ｍｍから２５ｍｍ程度あれば好い。図７に接着部先端の詳細を示す。
【００１８】
図８において示される実施例において、保護板３の前面に包囲体の先端部を折り曲げて接着固定したものである。すなわち、保護板の側面に包囲体２３を接着固定すると共に保護板の前面に包囲体２３の先端を一定幅折り曲げた包囲体先端部２２を保護板３の周囲に接着剤２４で固定した状態である。この事により、接着面積を大きくすることができる。また、この密閉構造部Ａを額縁の枠１に入れる場合、包囲体２３と保護板３の接着部が額縁の枠１に当り剥がれるのを防止することができる。折り曲げ幅は通常５ｍｍから２５ｍｍの範囲とし、額縁の枠１の大きさに応じて折り曲げ幅を変えるものとする。図９に接着部の詳細を示す。
【００１９】
本発明は以上の構成よりなっており、本発明の使用に際しては以下のように実施する。透明な保護板３とシート状部材で作られた袋状の包囲体２、１２、１８、２３で形成された密閉構造部Ａの内部に包囲体に設けられた開閉部６より絵画、書、写真等５の作品を入れて開閉部６を閉じる。包囲体はシート状部材でできているため柔軟な構造に成っている。
【００２０】
そこで、予め包囲体を圧縮して、額縁の枠１に入るようにようにしておき、額縁の枠１に入れて背後から裏板７をあてがい額縁の枠１にある押え具８で裏板７を固定し所定の場所に展示すれば好い。また、額縁の枠１の作品を入れる部分が薄く、完全に作品が額縁の枠１に収まらず裏板７で固定できない場合は紐を押え具８に掛けて、落ちたりずれないように固定すれば好い。尚、図１、図４および図５で示す実施例においては、密閉構造部Ａの補強板４、１１や内部補強板１６の存在により、内部に収めた絵画、書、写真等５の作品が保護板３に直接触れることがなく、作品を損傷することがない。
【００２１】
尚、密閉構造部Ａの内部の空気を包囲体２を手で外部より圧縮することにより密閉構造部内部の空気を極力少なくすると共に予め酸素除去剤を容易しておき、密閉構造部Ａの内部に入れるようにすれば好い。そして、酸素除去剤の量を調整して定期的に交換することにより、密閉構造部Ａの内部の酸素を除去して雰囲気を不活性化することができる。
【００２２】
また、本発明の額縁は、絵画、書、写真等５を保護板３とシート状部材で作られた包囲体２、１２、１８、２３で形成された密閉構造部Ａに入れて保存するものである。そのため、額縁の枠１は従来のままで使用できる。また、保護板３は通常アクリル板やポリカーボネイト板を使用するが従来のガラス板を使用しても好い。
【００２３】
そして、密閉構造部Ａを形成する包囲体２、１２、１８、２３の材質はポリプロピレン、ポリエチレン等の高分子化合物のシート材や天然または合成繊維に高分子化合物等をコーティングしたものを使用すればよい。もちろん、密閉性を充分維持できて強度、耐久性があれば材質、厚さ等特に限定するものではない。また、開閉部６は気密を維持するためのチャック構造等にすれば好い。
【００２４】
また、補強板４、１１内部補強板１６及び外部補強板１５はその形状を特に限定するものでは無く、幅や厚さも特に限定するものではないが、使用する透明な保護板３の大きさや厚さに応じて幅や厚さを変えれば好い。その場合、板を一定幅に切ったものを保護板３の四辺に取り付けても好く、内部を切り抜いた枠状のものを保護板３の上に重ねて接着固定しても好い。更に、形状に付いても単なる板状に限らず、断面形状が三角形やＬ字型等種々の断面形状のものでも好い。
【００２５】
また、保護板３が大きくなった場合、包囲体２、１２、１８、２３も大きくなり保護板３と包囲体との接着部の強度も充分必要となる。このような場合、補強板の厚さや幅は大きくする必要がある。しかし、額縁の枠１に収めた場合、外部から観賞に際し、見苦しさを感じない程度とする必要があり、通常小さな額縁の場合５ｍｍから２５ｍｍとすれば好い。但し、額縁の枠１が大型化した場合この範囲に限定するものではない。
【００２６】
また、補強板４、１１、内部補強板１６、外部補強板１５や補強材１７の使用材質についても特に限定するものではなく、保護板と同じ材質のアクリルやポリカーボネイトの板を使用すれば好く。全く異なる材質の物を使用しても好い。例えば、金属や樹脂等を使用しても好い。尚、保護板４と補強板との固定方法については接着剤を使用する場合について説明したが保護板と補強板との間にシールパッキングを挟みビス等で固定しても好い。
【００２７】
【発明の効果】
本発明は、以上説明したように構成されているので、以下に記載されるような効果を奏する。
【００２８】
保護板に補強板を取り付け、シート状包囲体の保護板との接着面積を大きくすることにより、包囲体と保護板との接着強度が向上し、作品の出し入れに際し、包囲体と保護板が外れることなく、より安定した密閉構造部を有する額縁を提供することができる。
【００２９】
また、補強板を使用することにより保護板の歪みを少なくできると共に包囲体と保護板の接着強度が向上するためにより大きな額縁にも利用できる。
【００３０】
更に、包囲体と保護板との接着強度を向上できるため、作品を収めて展示をした場合に振動等で密閉構造部が破損することがない。
【００３１】
保護板と補強板を併せた接着部を設ける事により、保護板と包囲体の接着面積が増えるため、接着作業が容易にできる。
【００３２】
尚、本発明の密閉構造部は新旧を問わずどのような額縁の枠にも適用することができる。しかも、スケールアップも容易に行うことができる。
【図面の簡単な説明】
【図１】保護板に補強板を取り付けた密閉構造部を有する額縁の断面図である。
【図２】保護板に補強板を取り付けた密閉構造部の断面図である。
【図３】保護板に補強板を取り付けた密閉構造部の接着部の詳細図である。
【図４】保護板に形状の異なる補強板を取り付けた密閉構造部の断面詳細図である。
【図５】保護板に内部補強板と外部補強板を取り付けた額縁の断面図である。
【図６】先端部を折り曲げ保護板に接着し補強剤を取り付けた額縁の断面図である。
【図７】先端部を折り曲げ保護板に接着し補強材を取り付けた額縁の詳細図である。
【図８】先端部を折り曲げ保護板に接着した額縁の断面図である。
【図９】先端部を折り曲げ保護板に接着した額縁の接着部詳細図である。
【符号の説明】
１    額縁の枠
２、１２、１８、２３  包囲体
３    保護板
４、１１  補強板
５    絵画、書、写真等
６    開閉部
７    裏板
８    押え具
９、１０、１３、１４、２０、２１、２４  接着剤
１５  外部補強板
１６  内部補強板
１９、２２  包囲体先端部
１７  補強材
Ａ    密閉構造部
【図１】
2004261536.tif 000003
【図２】
2004261536.tif 000004
【図３】
2004261536.tif 000005
【図４】
2004261536.tif 000006
【図５】
2004261536.tif 000007
【図６】
2004261536.tif 000008
【図７】
2004261536.tif 000009
【図８】
2004261536.tif 000010
【図９】
2004261536.tif 000011